(57)【要約】      （修正有）【課題】手書きによる個人差や字体癖がなく、また数字作成時に反転させ同一位置に差し込む等の煩雑さがない数字表示具を提供する。【解決手段】基材１に７セグメントで形成された０〜９の数字構成要素２〜８からなる数字母体を剥離可能な状態にプリントまたは、切り離し可能な状態に加工し、７セグメントのいずれかの箇所を除去して露出した部分で０〜９までの各数字を表示する。また、チップ化した７セグメントで形成する０〜９の数字構成要素を基材１に表示した数字母体の数字構成要素に貼り合わせて数字を表示する。数字形成後、数字の上面に粘着材付き透明な保護膜を貼付ける事により、数字の保護及び改ざん防止の効果をもたらすことを特徴とした数字表示具である。【選択図】図６
0003143101.tif 000002
【実用新案登録請求の範囲】
【請求項１】
基材に７セグメントで形成された０〜９の数字構成要素からなる数字母体を剥離可能な状  
態にプリントし、7セグメントのいずれかの箇所を除去して露出した部分で０〜９までの  
各数字を表示できるようにしたことを特徴とした数字表示具。
【請求項２】
基材に７セグメントで形成された０〜９の数字構成要素を切り離し可能な状態に加工し、  
7セグメントのいずれかの箇所を取り外して露出した部分で０〜９までの各数字を表示で  
きるようにしたことを特徴とした数字表示具。
【請求項３】
チップ化した７セグメントで形成する０〜９の数字構成要素を基材に表示した数字母体の  
数字構成要素に貼り合わせて数字を表示することを特徴とした数字表示具。
【請求項４】
請求項1乃至請求項２乃至請求項3何れかに記載の数字表示具において、数字表面に粘着材付き透明な保護膜を貼付したことを特徴とした数字表示具。
【請求項５】
基材は、粘着シートである事を特徴とする請求項１又は請求項2に記載の数字表示具。
【請求項６】
基材を支持体にした請求項1記載の数字表示具。
【考案の詳細な説明】
【技術分野】
【０００１】
本考案は、例えば現地で取得した数値データを長期間表示する際の表示具において、現地で取得したデータ値をその場で表示する表示具に関する。
【背景技術】
【０００２】
現地で取得した数値データをその場で表示具に表示する際、マジックインク等で手書きによるかまたは、データを一旦持ち帰り、表示具へ印刷した後に、再度現地へ出向いて表示していた。また、統一した数字表現としては、表示板の少なくとも数字表示区域が、その表面と裏面は、異なる色を有し、数字８の形状を構成するように配置された取り外し反転可能な状態の数字構成要素を、表示必要数字だけ切り込みによって形成し、表示すべき数字１字ごとに数字構成要素の複数個を取り外し、反転して同一位置に差し込むことによって０〜９の数字を表示板の他の区域と異なる色で表示する数値表示が知られている。（例えば特許文献1参照）。
【特許文献１】特平開９−１６０９１
【考案の開示】
【考案が解決しようとする課題】
【０００３】
現地で取得した数値データを長期間表示するための表示具に表示する際、手書きによる表示は、統一性に欠け、個人差や字体癖が現れるため読み取りにくく、誤読による誤りの一因となった。また悪戯による改ざんされる恐れの原因となり信頼性が問われる要因となった。
数字表示板の数字構成要素は、プレートに印刷した後に数字構成要素だけを切断するので厚くなり、数字形成時は、数字構成要素を取り外して反転させ同一位置に差し込んで数字を完成させていたが、小さい表示板に数字を形成する場合、数字構成要素が小さいため、数字構成要素を取り外して反転させ、同じ位置にはめ込む際、細心の注意が必要となり、位置合わせの煩わしさがともなった。
本考案はこのような従来の構成が有していた問題を解決しようとするものであり、手書きによる個人差や字体癖がなく、かつ、簡単な作業で所望の統一した数字表示具を提示する事を目的とする。
【課題を解決するための手段】
【０００４】
本考案は、基材（１）に７セグメントで形成された０〜９の数字構成要素（２〜８）からなる数字母体を剥離可能な状態にプリントまたは、切り離し可能な状態に加工し、７セグメントのいずれかの箇所を除去して露出した部分で０〜９までの各数字を表示する。また、
チップ化した７セグメントで形成する０〜９の数字構成要素（１５）を基材（１）に表示  
した数字母体の数字構成要素に貼り合わせて数字を表示する。
数字形成後、数字の上面に粘着材付き透明な保護膜を貼付ける事により、数字の保護及び改ざん防止の効果をもたらすことを特徴とした数字表示具である。
【考案の効果】
【０００５】
数字作成にあたっては、数字構成要素を除去して露出した部分や数字構成要素となるチップを数字母体に張り合わせることにより、数字形成が可能であり、手も汚さず、誰もが簡単に統一された数字が形成でき、数字表示具を作成することができる。
また、数字形成後、表面に粘着材付き透明な保護膜で覆い被せることにより、数値構成要素の欠落を防ぐとともに、摩擦による劣化等の表面保護作用と悪戯による改ざん防止が出来、数字表示の信頼性を高める効果がある。
山岳地帯の登山道へ緯度経度表示プレートを取り付ける場合は、各取り付け予定地まで登山して、携帯ＧＰＳを用いて緯度経度データを観測し、取り付け予定箇所に目印を取り付け、観測データを一旦持ち帰り、緯度経度表示プレートに数値をプリントして完成させた。現地取り付ける場合は、完成した緯度経度表示プレートをリックに詰めて再度同じコースを登山し、目印をたより位置を確かめて、緯度経度表示プレートを取り付けていた。本考案の数字表示具を用いれば、データ観測と緯度経度表示プレートへの数値作成、更に取り付けまでの一連作業を一回の登山で済ませることが可能となり、作業経費を大幅に削減できる。
【考案を実施するための最良の形態】
【０００６】
第一実施例にも基づいて説明する。図1は、基材（１）の表面に剥離ニス（１１）を塗布し、その上に７セグメントで形成された０〜９の数字構成要素(2〜8、２′〜8′)からなる数字母体を剥離可能な状態にプリントした数字表示具である。
図２に示すごとく基材（１）となる樹脂フイルム、アクリル板、金属板、ガラス板、コート紙、木製板等は、表面が平滑であり、更に表面にスクラッチ効果を増す剥離ニス（１１）を塗布し、裏面に粘着材（１４）と剥離材（１３）を装着させておく。
基材（１）として木製板を使用する場合は、表面を鉋かけして平滑にし、インク染み込み防止のアンダーコート剤を塗布する。
スクラッチインク用インクで、木材とコート紙以外の表面が平滑な基材（１）にプリントしたものは、剥離ニスなしでも良い結果が得られた。また、油性インクは基材（１）表面に剥離層（１１）を塗布することで、良好な成果が得られる。
７セグメントで形成された０〜９の数字構成要素（２〜8、２‘〜8’）からなる数字母体原稿をもとに電子複写機を用いてポリエステルフイルムへ複写したトナー画像による７セグメントで形成された０〜９の数字構成要素（２〜8、２‘〜8’）からなる数字母体を作製しても、スクラッチ効果が得られる数値表示具にすることができる。
第二実施例に基づいて説明する。基材（１）に７セグメントで形成された０〜9の数字構  
成要素を周囲の色と異なる色彩でプリントし、更に数構成要素を切り離し可能な状態に加  
工した数字表示具にする。尚基材（１）は弱粘着シートにすることにより、数字構成要素  
を取り外す際に取りやすい。
また、基材に７セグメントで形成された０〜9の数字構成要素を色彩なしで切り離し可能  
な状態に加工した数字表示具は数字形成の際、基材と異なる色彩の上に乗せて使用する。      
【０００７】
第三実施例を説明する。基材（１）に７セグメントで形成された０〜９の数字構成要素の  
数字母体を基材と同系色か細い点線等でプリントし、目立たないものにする（図９）。一  方、
数字構成要素チップ（１５）は、弱粘着材シート（１６）に基材と異なった色彩のものに  
切り離し可能な状態に加工する（図１０）。
次に第一実施例による数値作成を説明する。図1より基材（１）に７セグメントの数字構成要素の数字母体を剥離可能な状態にプリントし、１６の数字を作成する場合は、１０の位の数字1は、７セグメントの数字構成要素の３′と５′を残してコイン等で擦りとる。1の位数字６は、７セグメントの数字構成要素の３を擦りとることにより、数字６が得られ、図３の数字１６が表示された数字表示具ができる。
第二実施例による数値作成を説明する。７セグメントのいずれかの箇所を取り外して露出  
した部分で０〜９までの各数字を表示できる。例えば数字6を作成する際は、図1の数字  
構成要素３該当を先尖な針等で取り外し、数字６が得られる（図６）。また、数字構成要  素
を色彩なしで切り離し可能な状態に加工した数字表示具を使用する場合は、基材と異なる  
色彩の上に乗せて、図1の数字構成要素３該当を残した全ての数字構成要素を先尖な針等  
で取り外すことにより、下地色で数字6が得られる（図面省略）。下地を蓄光材にすると  、
数字構成要素に光エネルギーが蓄えられ、この部分が発光し、暗闇でも数字を確認できる  
数字表示具となる。
第三実施例による数値作成を図１１で説明する。例えば基材に数字２５を形成する場合は  、
数字構成チップシート（１６）より数字構成要素チップ（１５）を取り出し、数値構成部  
部分へ貼り付けることにより、統一避けた数字２５（図１１）数字表示具ができる。尚、  
数字構成チップシートを蓄光材で加工すると、数字構成要素に光エネルギーが蓄えられ、  
この部分が発光し、暗闇でも数字を確認できる数字表示具となる。
最終支持体の作成を図４で説明する。支持体（１２）の表面に上記数字表示具の剥離材（１３）取り除き、粘着材（１４）で貼り付ける。屋外へ長期間設置した場合、接触摩擦により数字構成要素の一部欠落による数字の変化を防止と悪戯による改ざん防止のため、数字表面へ透明アクリル系粘着剤付き透明ポリエステルフイルムを覆い被せることにより、強靭かつ信頼性の高い数字表示具とすることができる。
次に、登山道に取り付ける数字プレートを作成する場合を図７で説明する。登山道は目標物が少ないため、現在いる場所が、地図上何処なのか判らないため、道迷いに陥る。そこで本考案者はＧＰＳで得られる緯度経度値を地図上に落とせる緯度経度定規を開発し、（登録実用新案第３０５５４６５）登山者に使われるようになったが、全ての登山者がＧＰＳを備え持参しているわけではない。そこで、登山道の主な個所で緯度経度値を取得し、そのデータをもとに緯度経度値をプレートにして、その場所へ提示することで、登山者は、地図上のその場所が判り、道に迷わず安心登山をすることができる。
数字表示は数字構成要素を擦り取る手段（第一実施例 ）と切り取る手段（第二実施例）の２通りあるが数字構成要素を除去させる手段の違いだけなので、ここでは擦り取る手段で説明する。
例えば数字プレート北緯３６度３６分２４秒、東経１３９度５８分１３秒の数字プレートを作る場合を図７で説明する。固定文字として北緯３６度、分、秒、東経１３９度、分、秒へは露出状態にしておき、分、秒の数値部分だけに、７セグメントで形成された０〜9の数字構成要素（２〜8、２′〜8′)からなる数字母体を剥離可能な状態にプリントする。尚、北緯、東経で１度違えば９０Ｋｍ以上も違う場所になるため、その付近の地図に入らないため、固定文字として良い。
北緯３６度３６分２４秒、東経１３９度５８分１３秒を表示する場合、先ず北緯の３６分は、10の位を示す７′、8′の７セグメント数字構成要素を擦り、数字３が形成される。次に６分は、数字構成要素３を擦りとり数字６が形成され３６となる。同様に２４秒は、5′、8′擦りとる数字2が形成され、更に２、６、７を擦りとると、数字４が形成され数字２４となり、北緯３６度３６分２４秒の表示が得られる。東経の数字も同様に７セグメント数字構成要素の一部分を擦りとることにより、数字５８と数字１３が得られ、東経１３９度５８分１３秒と表示でき、この表面を透明な保護フイルム(9)を覆い被せ、数字緯度経度表示プレート図８が完成する。
基材を木製支持体に置き替え、支持体へ直接数字表示する場合は、支持体（１２）の表面を鉋かけして平滑にし、インク染み込み防止のアンダーコート剤を塗布する。次にスクラッチインク用インクプリントしで図７を得、上記工程により目的数値形成後、この表面を透明な保護フイルム（９）を覆い被せ、数字緯度経度表示プレート図８が完成する。
作業者は手袋をはめた状態で登山し、数字作成時も手袋をはめた状態でコインを掴み擦りとる。この際、誤って必要箇所以外の数字構成要素も擦りとる場合もあり、数字構成要素間隔を空けることにより余分な擦り取りを防ぐことができる。
本考案は、現地で取得したデータをもとに、その場で統一した数値で改ざん防止効果を備えた強靭な数字表示具を安い費用で提供するものである。
【図面の簡単な説明】
【０００８】
【図１】数字構成要素の間隔を空けた形状の数字母体表示図である。
【図２】基材に剥離層を設け、数字表示した断面見取り図である。
【図３】基材に数字１６を形成した状態を示す見取り図である。
【図４】基材に数字１６を形成し、粘着材付透明フイルムで覆い包み支持体へ取り付けた状態を示す断面見取り図である。
【図５】基材に数字１６を形成した完成図である。
【図６】数字構成要素を取り外し、数字6を形成した状態を示す斜め見取り図である。
【図７】数字表示具で、緯度経度表示した図である。
【図８】完成した緯度経度表示図である。
【図９】数字構成チップ貼り付け用数字母体を示す図である。
【図１０】数字構成チップを切り離し状態にまとめたシート図である。
【図１１】数字構成チップを貼り付けて数字２５を形成した見取り図である。
【符号の説明】
【０００９】
１  基材
２〜８  数字構成要素
２′〜８′数字構成要素
９  透明保護幕
１０  透明保護幕の粘着層
１１  剥離ニス
１２  支持体
１３  剥離材
１４  基材の粘着層
１５  数字構成要素チップ
１６  粘着シート
【図１】
0003143101.tif 000003
【図２】
0003143101.tif 000004
【図３】
0003143101.tif 000005
【図４】
0003143101.tif 000006
【図５】
0003143101.tif 000007
【図６】
0003143101.tif 000008
【図７】
0003143101.tif 000009
【図８】
0003143101.tif 000010
【図９】
0003143101.tif 000011
【図１０】
0003143101.tif 000012
【図１１】
0003143101.tif 000013